(57)【要約】      （修正有）【課題】水泳の練習器材にあって、上半身のスイング及び下半身の回復動作がよりスムーズになる構造を有した水泳の練習器材を提供する。【解決手段】主に一つの本体１、一つのスイング装置２、二つの手部の旋回装置３、二つの回復装置４で構成する水泳の練習器材である。該本体に一つの前部１１及び一つの後部１２を具有し、該前部の一端は該後部の一端と接続し、該前部と該後部の間に一つの収納スペース１３を形成し、該後部の上方に一つの支持面１４を形成する。該スイング装置を該収納スペースの中に設置し、該スイング装置の一端を該前部と接続し、別端を該支持面の前方と接続する。該手部の旋回装置をそれぞれ該本体前部の両サイド前方に設置する。該回復装置をそれぞれ該支持面の後方上縁に並列して接続する。【選択図】図２
0003175736.tif 000002
【実用新案登録請求の範囲】
【請求項１】
本体を含み、
該本体に一つの後部を具有し、該後部の表面に人体の腹部を支える支持面を形成し、支持面の前方に人体の上半身を支え、且つ左右にスイングするスイング装置を接続し、該支持面の後方に人体の下半身を支え、且つ上下にスイングする回復装置を接続することを特徴とする水泳の練習器材の構造。
【請求項２】
前記本体に一つの前部及び一つの後部を具有し、該前部の一端を該後部の一端と接続し、且つ該前部と後部の間に一つの収納スペースを形成し、該スイング装置は収納スペース内に位置することを特徴とする請求項１記載の水泳の練習器材の構造。
【請求項３】
前記前部及び後部にそれぞれ互いに接続することで前部と後部が伸縮して調整できるガイド槽及び凸ブロックを設置することを特徴とする請求項２記載の水泳の練習器材の構造。
【請求項４】
前記スイング装置は少なくとも二つの弾性部品を含み、該弾性部品はそれぞれ該収納スペースの中に相対して設置し、
一つの水平台を該前部及び該支持面の間に設置し、該水平台の二つの相対するサイドの底縁はそれぞれ該弾性部品の上端と連接し、
該水平台の別の二つの相対するサイドはそれぞれ接続用の二本の軸棒を設置することで、
該水平台の別の二つの相対するサイドがそれぞれ該前部及び該支持面に接続することを特徴とする請求項１或いは請求項２記載の水泳の練習器材の構造。
【請求項５】
前記スイング装置に水平台を設置し、該水平台の一端には顔を置ける切欠部を形成し、該切欠部は該前部の頂端に位置することを特徴とする請求項１記載の水泳の練習器材の構造。
【請求項６】
前記スイング装置に水平台を設置し、該水平台の相対する両サイドにそれぞれ水平台を伸縮して調整できる伸縮機構を設けることを特徴とする請求項１記載の水泳の練習器材の構造。
【請求項７】
前記伸縮構造はスライド槽及び凸ブロックで構成する構造であることを特徴とする請求項６記載の水泳練習器材の構造。
【請求項８】
前記回復装置に含まれるのは一つの底板、一つの足パッド及び一つの弾性部品であり、該底板の一端に接続部を設け、該接続部を該支持面の後方上縁と接続し、
該足パッドの底面と該底板の上表面の間は、スライド構造を介して互いにスライドして接続し、及び
該弾性部品を該接続部の上に設置することを特徴とする請求項１記載の水泳の練習器材の構造。
【請求項９】
前記本体にスイング装置を固定する第一固定装置を設置することを特徴とする請求項１記載の水泳の練習器材の構造。
【請求項１０】
前記本体に回復装置を固定する第二固定装置を設置することを特徴とする請求項１記載の水泳の練習器材の構造。
【考案の詳細な説明】
【技術分野】
【０００１】
本考案は水泳の練習器材の構造に関し、特に如何なる場所に置くことができ、水に入らなくても泳ぎの動きを真似ることができて、フィットネスの目的に達する水泳の練習器材の構造に関する。
【背景技術】
【０００２】
本考案の考案者は以前ＣＮ２００５２００１５６２７号特許の水泳の練習器材を申請した。図１に示すように、該水泳フィットネス練習器材は一つの本体Ａ、一つのスイング装置Ｂ、二つの手部の旋回装置Ｃ及び二つの回復装置Ｄを含む。該本体Ａに一つの前部及び一つの後部を具有し、該前部の一端を該後部の一端と連接し、該前部と該後部の間に一つの収納スペースを形成する。該スイング装置Ｂを該収納スペースの中に設置し、該スイング装置Ｂの一端を該前部と接続し、別端は該後部と接続することで、人体が仰向け及びうつ伏せして左右にスイングを行うことができる。該手部の旋回装置Ｃをそれぞれ該本体前部の両側上縁に設置し、それを手で保持して旋回する。及び、該回復装置Ｄをそれぞれ該本体後部の上縁に設置し、足の上下の動き及びサイド方向のスイングの動きをサポートする。しかし、実際使用する際、足の上下往復及び体を傾けてスイングする際に、動作がスムーズに動かず、及び水平台に乗る或いは下りる際に左右に揺れるなど、更なる改善が必要であった。
【先行技術文献】
【特許文献】
【０００３】
【特許文献１】中国２００５２００１５６２７号特許公報
【考案の概要】
【考案が解決しようとする課題】
【０００４】
前記公知構造の欠点をするために、本考案はスイング装置と回復装置を分け、支持面に腹部を置くことにより、上半身のスイング及び下半身の回復動作が更にスムーズになる水泳の練習器材を提供することを主な課題とする。
【課題を解決するための手段】
【０００５】
前記課題を解決するため、本考案は水泳の練習器材の構造を提供する。それに含まれるのは一つの本体、一つのスイング装置、二つの手部の旋回装置、二つの回復装置である。該本体に一つの前部及び一つの後部を具有し、該前部の一端は該後部の一端と接続し、該前部と該後部の間に一つの収納スペースを形成し、該後部の上方に一つの支持面を形成する。該スイング装置を該収納スペースの中に設置し、該スイング装置の一端を該前部と接続し、別端を該支持面の前方と接続する。該手部の旋回装置をそれぞれ該本体前部の両サイド前方に設置する。該回復装置をそれぞれ該支持面の後方上縁に並列して接続する。本考案の特徴は、該支持面と接続するスイング装置と該回復装置を分け、それにより該支持面で体の腹部を支えることで、上半身のスイング及び下半身の回復動作がよりスムーズになる。
本考案は下記の特徴を有する。
（１）本体を含み、
該本体に一つの後部を具有し、該後部の表面に人体の腹部を支える支持面を形成し、支持面の前方に人体の上半身を支え、且つ左右にスイングするスイング装置を接続し、該支持面の後方に人体の下半身を支え、且つ上下にスイングする回復装置を接続することを特徴とする水泳の練習器材の構造。
（２）前記本体に一つの前部及び一つの後部を具有し、該前部の一端を該後部の一端と接続し、且つ該前部と後部の間に一つの収納スペースを形成し、該スイング装置は収納スペース内に位置することを特徴とする（１）記載の水泳の練習器材の構造。
（３）前記前部及び後部にそれぞれ互いに接続することで前部と後部が伸縮して調整できるガイド槽及び凸ブロックを設置することを特徴とする（２）記載の水泳の練習器材の構造。
（４）前記スイング装置は少なくとも二つの弾性部品を含み、該弾性部品はそれぞれ該収納スペースの中に相対して設置し、
一つの水平台を該前部及び該支持面の間に設置し、該水平台の二つの相対するサイドの底縁はそれぞれ該弾性部品の上端と連接し、
該水平台の別の二つの相対するサイドはそれぞれ接続用の二本の軸棒を設置することで、
該水平台の別の二つの相対するサイドがそれぞれ該前部及び該支持面に接続することを特徴とする（１）或いは（２）記載の水泳の練習器材の構造。
（５）前記スイング装置に水平台を設置し、該水平台の一端には顔を置ける切欠部を形成し、該切欠部は該前部の頂端に位置することを特徴とする（１）記載の水泳の練習器材の構造。
（６）前記スイング装置に水平台を設置し、該水平台の相対する両サイドにそれぞれ水平台を伸縮して調整できる伸縮機構を設けることを特徴とする（１）記載の水泳の練習器材の構造。
（７）前記伸縮構造はスライド槽及び凸ブロックで構成する構造であることを特徴とする（６）記載の水泳練習器材の構造。
（８）前記回復装置に含まれるのは一つの底板、一つの足パッド及び一つの弾性部品であり、該底板の一端に接続部を設け、該接続部を該支持面の後方上縁と接続し、
該足パッドの底面と該底板の上表面の間は、スライド構造を介して互いにスライドして接続し、及び
該弾性部品を該接続部の上に設置することを特徴とする（１）記載の水泳の練習器材の構造。
（９）前記本体にスイング装置を固定する第一固定装置を設置することを特徴とする（１）記載の水泳の練習器材の構造。
（１０）前記本体に回復装置を固定する第二固定装置を設置することを特徴とする（１）記載の水泳の練習器材の構造。
【考案の効果】
【０００６】
本考案は該支持面と接続するスイング装置と該回復装置を分け、それにより該支持面で体の腹部を支えることで、上半身のスイング及び下半身の回復動作がよりスムーズになる。
【図面の簡単な説明】
【０００７】
【図１】従来技術の水泳訓練器材の略図である。
【図２】本考案の実施例の立体図である。
【図３】本考案のスイング装置の略図(一)である。
【図４】本考案のスイング装置の略図(二)である。
【図５】本考案の手部の旋回装置の略図である。
【図６】本考案の回復装置の分解図である。
【図７】本考案の回復装置の略図である。
【図８】本考案の第一固定装置の略図である。
【図９】本考案の第一固定装置の別の実施例の略図である。
【図１０】本考案の第二固定装置の略図である。
【考案を実施するための形態】
【０００８】
本考案による水泳の練習器材の構造を明確に示すために図に沿って詳細な説明を行う。
【０００９】
図２から図５に示すのは、本考案の水泳の練習器材である。それに含まれるのは一つの本体１、一つのスイング装置２、二つの手部の旋回装置３、二つの回復装置４である。該本体１は一つの前部１１及び一つの後部１２を具有し、該前部１１の一端を該後部１２の一端と連接し、該前部１１と該後部１２の間に一つの収納スペース１３を形成する。該後部１２の上方の表面に一つの支持面１４を形成し、該支持面１４とは人体の腹部を支えるためのものである。該スイング装置２は該収納スペース１３の中に設置し、該スイング装置２の一端を該前部１１と接続し、別端を該支持面１４の前方に接続することで、該スイング装置２は人体の上半身を支えて且つ左右にスイングすることができる。該手部の旋回装置３はそれぞれ該本体１の前部１１の両側前方に設置する。該回復装置４はそれぞれ該支持面１４の後方上縁に並列して接続することで、人体の下半身を支えて且つ上下にスイングすることができる。
【００１０】
本考案の本体１の該前部１１及び該後部１２の間はガイド槽１１２及び凸ブロック１２２によって互いに接続することにより、該前部１１及び該後部１２の間で伸縮して調整することができる。
【００１１】
該スイング装置２は少なくとも二つの弾性部品２１を含み、該弾性部品２１はそれぞれ該収納スペース１３の中に相対して設置する。一つの水平台２２を該前部１１及び該支持面１４の間に設置し、該水平台２２の二つの相対するサイドの底縁はそれぞれ該弾性部品２１の上端と連接し、該水平台２２の別の二つの相対するサイドはそれぞれ接続用の二本の軸棒２３を設置することで、該水平台２２の別の二つの相対するサイドがそれぞれ該前部１１及び該支持面１４に接続してスイング動作を行う。  
また、該水平台２２の一端には、人体の顔を置ける切欠部２２４を形成し、該切欠部２２４は該前部１１の頂端に位置する。
該水平台の二つの相対するサイドにそれぞれ伸縮構造２４を設けることで、該水平台２２は伸縮して調整することができる。該伸縮構造２４はスライド槽２４２及び凸ブロック２４４を組み合わせた構造である。
【００１２】
手部の旋回装置３はそれぞれ一つのサイド板３０及び少なくとも一つのキャスター３１、一つの履帯３２、一つの接続部品３３、一つの接続棒３４を含む。該キャスターはそれぞれ一つの軸３１２を具有し、該サイド板３０に設置する。該履帯３２を該キャスター３１の外部に套合する。該接続部品３３の一端を該本体１の前部１１の片側に接続し、該接続部品３３の別端は該サイド板３０の前方に接続する。及び、該接続棒３４の一端は該接続部品３３との間をスライド槽３４２及び凸部品３３４を介して互いにスライドして接続する。該接続棒３４の別端を該サイド板３０の後方と接続することで、該接続棒３４と該接続部品３３との間は伸縮して調整することができる。該履帯３２の外表面に多くの保持部３２２を設け、該保持部３２２に人体の指を入れて動かすことができる。該接続部品３３の一端と該本体１前部１１の片側の間は凹槽３３２及び凸ブロック１１４を互いに接続することにより、該接続部品３３と該本体１の前部１１との間は、伸縮して調整することができる。
【００１３】
図２及び図６に示すように、該回復装置に含まれるのは一つの底板４１、一つの足パッド４３及び一つの弾性部品４５である。該底板４１の一端に一つの接続部４２を設け、該接続部４２を該支持面１４の後方上縁と接続する。該足パッド４３の底面と該底板４１の上表面の間は、スライド構造４４を介して互いにスライドして接続する。また、該スライド構造４４はスライドブロック４４２及びスライドレールが組み合わせた構造である。該弾性部品４５を該接続部４２の上に設置することで、元に戻る力を持ち、該弾性部品４５はトーションバネとする。図７に示すように、該弾性部品４５を該底板４１と該本体後方１２の外側(斜面１２４)の間に設置することもでき、該弾性部品４５はほかに圧縮バネを設けることもできる。
【００１４】
図８に示すように、本考案は更に一つの第一固定装置５を増やし、スイング装置２の水平台２２を固定するためであり、当該目的は、ユーザーが上下するスイング装置２の水平台２２が動くために恐怖心が生じるのを避けるためである。また、水泳の練習器材を使用していない際に、スイング装置２を固定して椅子として使用することもできる。該第一固定装置５は止め金５１を本体前部１１にある穴５２に差し込んだものとすることができる。また、該第一固定装置５は該収納スペース１３に回転する支持構造５３（ 図９を参照） を設置することで水平台２２を支えて固定することもできる。他に多くの構造を用いて水平台を固定することができ、逐一全てここで言及しない。また、本考案は更に第二固定装置６（ 図１０を参照）を増やして該回復装置４を固定する。該第二固定装置６は該本体後部１２に一つの回転支持構造６１を設置し、該回復装置４を支えて固定する。
【００１５】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００１６】
１  本体
１１  前部
１１２  ガイド槽
１１４  凸ブロック
１２  後部
１２２  凸ブロック
１２４  斜面
１３  収納スペース
１４  支持面
２  スイング装置
２１  弾性部品
２２  水平台
２２４  切欠部
２３  軸棒
２４  伸縮構造
２４２  スライド槽
２４４  凸ブロック
３  手部の旋回装置
３０  サイド板
３１  キャスター
３１２  軸
３２  履帯
３２２  保持部
３３  接続部品
３３２  凹槽
３３４  凸部品
３４  接続棒
３４２  スライド槽
４  回復装置
４１  底板
４２  接続部
４３  足パッド
４４  スライド構造
４４２  スライドブロック
４４４  スライドレール
４５  弾性部品(トーションバネ)
５  第一固定装置
５１  止め金
５２  穴
５３  回転支持構造
６  第二固定装置
６１  回転支持構造
【図１】
0003175736.tif 000003
【図２】
0003175736.tif 000004
【図３】
0003175736.tif 000005
【図４】
0003175736.tif 000006
【図５】
0003175736.tif 000007
【図６】
0003175736.tif 000008
【図７】
0003175736.tif 000009
【図８】
0003175736.tif 000010
【図９】
0003175736.tif 000011
【図１０】
0003175736.tif 000012